(57)【特許請求の範囲】
【請求項１】
相対する取付面に棚部材支持用の取付穴が設けられた一対の支持体を利用して当該支持体間に落下防止部材を取り付けるための取付具において、
前記落下防止部材の端部に一体若しくは別体に設けられて前記取付穴に引っ掛け可能な掛け部を備えた第１の部材と、この第１の部材に連なるとともに前記落下防止部材の支持部を備えた第２の部材とからなり、当該第２の部材は、第１の部材に対して屈曲した方向に延びることを特徴とする落下防止部材の取付具。
【請求項２】
前記第２の部材は、前記落下防止部材の後面側に位置可能に設けられていることを特徴とする請求項１記載の落下防止部材の取付具。
【請求項３】
前記掛け部と支持部の高さ位置が異なって設けられていることを特徴とする請求項１又は２記載の落下防止部材の取付具。
【請求項４】
相互に所定間隔を隔てて配置された支持体に取付具を介して落下防止部材を取り付ける構造において、
前記支持体は、横断面略Ｌ字状の支柱により構成されるとともに、当該Ｌ字の一方の面が前後方向に沿って配置されるとともに、上下方向に沿って所定間隔毎に取付穴が設けられ、
前記取付具は、前記落下防止部材の端部に一体若しくは別体に設けられて前記取付穴に引っ掛け可能な掛け部を備えた第１の部材と、この第１の部材に連なるとともに前記落下防止部材の支持部を備えた第２の部材とからなり、当該第２の部材は、第１の部材に対して屈曲した方向に延びることを特徴とする落下防止部材の取付構造。
【請求項５】
前記支柱の他方の面は穴を有しない面に形成されていることを特徴とする請求項４記載の落下防止部材の取付構造。
【請求項６】
前記第２の部材は、前記支柱の他方の面に沿って位置するとともに、内面側に前記落下防止部材の支持部が設けられて当該支持部に落下防止部材が支持可能に設けられていることを特徴とする請求項４又は５記載の落下防止部材の取付構造。
【請求項７】
前記落下防止部材は、長さ調整可能に設けられていることを特徴とする請求項４，５又は６記載の落下防止部材の取付構造。
【発明の詳細な説明】
【０００１】
【発明の属する技術分野】
本発明は落下防止部材の取付具及びその取付構造に係り、更に詳しくは、支持体に設けられた棚板装着用の穴を利用して背当て板等の落下防止部材を棚板後端側に位置するように取り付けることができる落下防止部材の取付具及びその取付構造に関する。
【０００２】
【従来の技術】
公知の陳列棚は、前後及び左右一対の支柱と、これら支柱内に配置された棚板とを備えて構成されている。支柱には、その上下方向に沿って所定間隔毎に取付穴が形成されており、この取付穴にフック金具を引っ掛けて棚板を所定の高さ位置にセットできるようになっている。また、棚板の後端側には、当該棚板上に載せられた陳列対象物の後方への落下を規制するための、背当て板等の細長い落下防止部材を装着する場合が多い。このような落下防止部材を棚板の後端側に位置するように取り付ける場合には、従来では、後部に位置する左右の支柱の後面に取付穴を形成しておき、この取付穴を利用して落下防止部材を引っ掛けてこれを支持させる手法が採用されている。
【０００３】
【発明が解決しようとする課題】
しかしながら、このような構造にあっては、各支柱の二面に取付穴を設ける構造となるため、前面側若しくは後面側に取付穴が目立って見えてしまうものとなり、外観上の体裁を大きく損なう原因となる。しかも、支柱に多数の取付穴を設けると、当該支柱自体の強度が低下するという不都合を招来する。また、落下防止部材を取り付けしたい位置に対応して適正位置に取付穴が設けられていない場合も生じ、従って、棚板の高さ位置を変更したときに、これに柔軟に対応できなくなるという不都合もある。
【０００４】
【発明の目的】
本発明は、このような不都合に着目して案出されたものであり、その目的は、棚部材を支持するための取付穴を利用して落下防止部材を取り付けできるようにし、取付穴が支柱の前面側若しくは後面側に表出しないタイプのものを利用できる落下防止部材の取付具及びその取付構造を提供することにある。
【０００５】
【課題を解決するための手段】
前記目的を達成するため、本発明は、相対する取付面に棚部材支持用の取付穴が設けられた一対の支持体を利用して当該支持体間に落下防止部材を取り付けるための取付具において、
前記落下防止部材の端部に一体若しくは別体に設けられて前記取付穴に引っ掛け可能な掛け部を備えた第１の部材と、この第１の部材に連なるとともに前記落下防止部材の支持部を備えた第２の部材とからなり、当該第２の部材は、第１の部材に対して屈曲した方向に延びる、という構成を採っている。このような構成とすれば、落下防止部材を取り付けるための専用の取付穴を設けることなく落下防止部材を取り付けることが可能となる。しかも、棚部材装着用の取付穴を利用している構造であるため、棚部材の高さ位置を変更しても当該棚部材の位置に常に対応して落下防止部材を取り付けることができる。
【０００６】
また、本発明は、相互に所定間隔を隔てて配置された支持体に取付具を介して落下防止部材を取り付ける構造において、
前記支持体は、横断面略Ｌ字状の支柱により構成されるとともに、当該Ｌ字の一方の面が前後方向に沿って配置されるとともに、上下方向に沿って所定間隔毎に取付穴が設けられ、
前記取付具は、前記落下防止部材の端部に一体若しくは別体に設けられて前記取付穴に引っ掛け可能な掛け部を備えた第１の部材と、この第１の部材に連なるとともに前記落下防止部材の支持部を備えた第２の部材とからなり、当該第２の部材は、第１の部材に対して屈曲した方向に延びる、という構成を採っている。このような構成とすれば、支柱の側面側に取付穴が位置することとなり、前面側若しくは後面側に取付具の掛け部が表れるようなことはない。
【０００７】
【発明の実施の形態】
本発明に係る落下防止部材の取付具の第２の部材は、前記落下防止部材の後面側に位置可能に設けられる、という構成を採用することができる。これにより、第２の部材が落下防止部材の後ろに隠れる状態となり、落下防止部材の前面側若しくは内面側に段差を生じさせることを防止可能となる。この際、掛け部と支持部の高さ位置が異なって設けられるようにするとよく、これにより、落下防止部材と、支柱に支持される棚部材との位置的な相互干渉を容易に防止することができる。
【０００８】
また、本発明に係る落下防止部材の取付構造において、前記支柱の他方の面は穴を有しない面に形成される、という構造を採っている。これにより、支柱の前面側若しくは後面側に取付穴を表出させない構造とすることができ、外観上の体裁を良好に保つことが可能となる。
【０００９】
前記取付構造において、取付具の第２の部材は、前記支柱の他方の面に沿って位置するとともに、内面側に前記落下防止部材の支持部が設けられて当該支持部に落下防止部材が支持可能に設けられる、という構成とすることが好ましい。
【００１０】
更に、前記落下防止部材を長さ調整可能に設けるとよい。このような長さ可変型とすれば、支柱間距離が異なる各種タイプのものに落下防止部材を共通部品として適用することができる。
【００１１】
【実施例】
以下、本発明の実施例を図面を参照しながら説明する。
【００１２】
図１には、本発明が陳列棚に適用された実施例に係る概略斜視図が示され、図２には、図１のＡ部を拡大した概略分解斜視図が示されている。これらの図において、陳列棚１０は、前後及び左右二箇所に相対配置された支持体としての支柱１１と、当該支柱１１の下端側及び上端側に設けられたベース板１２及び天板１３と、これらベース板１２及び天板１３間に設けられた棚部材としての棚板１５と、各棚板１５の後端側に装着されて落下防止部材として作用する背当て板１６とを備えて構成されている。
【００１３】
前記支柱１１は、横断面形状が略Ｌ字状となる屈曲タイプのものが採用され、当該Ｌ字の屈曲部がコーナーに位置する向きで配置されている。すなわち、前部二本の支柱１１は、左右方向に沿う面となる前面部１１Ａと、前後方向に沿う面となる前部側面部１１Ｂを有する一方、後部二本の支柱１１は、左右方向に沿って位置するとともに前記前面部１１Ａと略平行に位置する後面部１１Ｃと、前後方向に沿って位置し、且つ、前部側面部１１Ｂと略同一の鉛直面内に位置する後部側面部１１Ｄとを有する。前面部１１Ａ及び後面部１１Ｃは穴を有しない面として形成されている。また、前部側面部１１Ｂ及び後部側面部１１Ｄは、上下方向に沿って略等ピッチ間隔を隔てて棚部材支持用の多数の取付穴２０が形成されている。
【００１４】
前記ベース板１２、天板１３は、ここでは図示しない公知の取付部材を介して支柱１１の下端側と上端側にそれぞれ固定されている。また、棚板１５は、図３に示されるように、前記取付穴２０に引っ掛け可能な公知のフック金具２２を介して高さ位置調整可能に支持されている。
【００１５】
前記背当て板１６は、図２ないし図４に示されるように、後部側に位置する支柱１１の相対する取付面、すなわち、後部側面部１１Ｄの取付穴２０に引っ掛けられる取付具２４を介して左右の支柱１１間に掛け渡される状態で取り付けられている。この取付具２４は、支柱１１における後部側面部１１Ｄの内面側に沿って位置可能な第１の部材２５と、この第１の部材２５に対し、当該第１の部材２５の面と略直交する方向に連なるとともに、後面部１１Ｃの内面側に沿って位置可能な第２の部材２６とにより構成されている。
【００１６】
前記第１の部材２５は、その面内略中央部において、上下二箇所位置を切り起こして形成された掛け部としての下向き舌片２８，２８を備え、また、第２の部材も、上下二箇所位置を切り起こして形成された支持部としての上向き舌片２９を備えて構成されている。下向き舌片２８は、前記取付穴２０内に挿入されて当該取付穴２０の下端形成縁に引っ掛けられるようになっている。なお、前記第２の部材２６は、その下部一側縁が第１の部材２５の一側縁に連なり、第２の部材２６の上部は、第１の部材２５の上端縁よりも上方に位置するように設けられ、これにより、下向き舌片２８と上向き舌片２９の高さ位置が異なる高さ位置となり、背当て板１６の取付位置と棚板１５の取付位置とが相互に干渉しないようになっている。
【００１７】
前記背当て板１６は、左右方向に長い板状をなし、その上端及び下端には、板状素材を折返す板金加工によって形成された補強部１６Ａが上下二箇所に設けられている。この背当て板１６の長手方向両側には、上下二箇所に支持穴３０，３０が形成され、これらの支持穴３０内に前記上向き舌片２９が挿入されるようになっている。
【００１８】
以上の構成において、背当て板１６を取り付ける場合には、後ろ二本の支柱１１に対し、取付具２４の下向き舌片２８を取付穴２０に挿入してこれに引っ掛ける。これにより、第２の部材２６は、支柱１１の後面部１１Ｃの内面側に沿う位置となる。この後、第２の部材２６に設けられた上向き舌片２９を背当て板１６の支持穴３０に挿入すればよい。なお、背当て板１６の取り付けに前後して、当該背当て板１６に対応する棚板１５がフック金具２２を介して所定の高さ位置に取り付けられる。
【００１９】
従って、このような実施例によれば、棚板１５を支持するための取付穴２０を利用して背当て板１６を装着するための取付具２４を引っ掛けることができるように設けたから、当該取付具２４を介して背当て板１６を棚板１５の後端側に極めて容易且つ迅速に取り付けることが可能となる。
【００２０】
なお、前記実施例では、取付具２４が第１及び第２の部材２５，２６により構成され、且つ、背当て板１６と別体に構成された場合を図示説明したが、本発明はこれに限定されるものではない。例えば、図５に示されるように、背当て板１６の長手方向両端部の上下二箇所に下向き舌片２８を一体に設けた構成としてもよい。これによれば、背当て板１６の面内に前述した支持穴３０を設ける必要をなくすことができる。また、背当て板１６は、図５中左右方向に沿って相互にスライド移動可能な第１及び第２の背当て板３０，３１の組み合わせとしてもよく、これにより、長さ調整を可能として支柱１１間距離が種々異なるタイプの陳列棚に適用することができる。なお、図５に示すタイプの補強部１６Ａは、断面略Ｌ字状の折り曲げ部とし、第１の背当て板３０側の補強部１６Ａ内に第２の背当て板３１の補強部１６Ａを受容する相対形状とすることで、これらをガイド部材として利用することが可能となる。
【００２１】
また、前記実施例では、落下防止部材として板状をなす背当て板１６を図示、説明したが、棚板１５上に陳列される対象物の落下を防止し得る形状である限り、ネット状の部材等も採用することができる。
【００２２】
【発明の効果】
以上説明したように、本発明の取付具は、落下防止部材の端部に一体若しくは別体に設けられ、支持体における棚部材支持用の取付穴に引っ掛け可能な掛け部を備えた構成とされているため、落下防止部材を取り付けるための専用の取付穴を設けることなく落下防止部材を取り付けることが可能となる。しかも、棚部材装着用の取付穴を利用している構造であるため、棚部材の高さ位置を変更しても当該棚部材の位置に常に対応して落下防止部材を取り付けることができる。
【００２３】
また、前記取付具を第１及び第２の部材により構成するとともに、当該第２の部材が第１の部材に対して屈曲した方向に延びて落下防止部材の後面側に位置する構成としたから、第２の部材が落下防止部材の後ろに隠れる状態となり、落下防止部材の前面側に段差を生じさせることがない。また、掛け部と支持部の高さ位置が異なって設けられた場合には、落下防止部材と、支柱に支持される棚部材との位置的な相互干渉を生じない設計が容易となる。
【００２４】
また、本発明に係る落下防止部材を取り付ける構造は、横断面略Ｌ字状の支柱により支持体が構成され、当該Ｌ字の一方の面をなす前後方向に沿う面内に取付穴が設けられ、この取付穴に引っ掛け可能な掛け部を有する取付具が落下防止部材の端部に一体若しくは別体に設けられる構成とされているため、支柱の側面側に取付穴が位置することとなり、前面側若しくは後面側に取付具の引っ掛け部が表れるようなことはない。
【００２５】
また、前記支柱の他方の面は穴を有しない面に形成されているため、支柱の前面側若しくは後面側に取付穴を表出させない構造とすることができ、外観上の体裁を良好に保つことが可能となる。
【００２６】
更に、前記落下防止部材を長さ調整可能とした場合には、支柱間距離が異なる各種タイプのものに落下防止部材を共通部品として適用することができる。
【図面の簡単な説明】
【図１】  実施例に係る陳列棚の概略斜視図。
【図２】  図１のＡ部拡大分解斜視図。
【図３】  背当て板の取付状態を示す部分断面前面図。
【図４】  図３のＢ−Ｂ線に沿う断面図。
【図５】  取付具の変形例を示す要部前面図。
【符号の説明】
１０  陳列棚
１１  支柱（支持体）
１１Ｃ  後面部
１１Ｄ  後部側面部
１５  棚板（棚部材）
１６  背当て板（落下防止部材）
２０  取付穴
２４  取付具
２５  第１の部材
２６  第２の部材
２８  下向き舌片（掛け部）
２９  上向き舌片（支持部）
３０  支持穴
【図１】
0003899805.tif 000002
【図２】
0003899805.tif 000003
【図３】
0003899805.tif 000004
【図４】
0003899805.tif 000005
【図５】
0003899805.tif 000006